(57)【特許請求の範囲】
【請求項１】
公衆回線網を介してＦＡＸ通信を行う第１のＦＡＸモードと、インターネットを介してＦＡＸ通信を行う第２のＦＡＸモードとのいずれかを選択可能な画像形成装置であって、
ユーザが２段階に押下可能であり、１回目の押下により所定の変位をした後、当該変位した状態で行われる２回目の押下により前記変位よりも大きく変位する操作手段と、
前記操作手段が前記１回目の押下により変位した場合に、前記第１のＦＡＸモードと前記第２のＦＡＸモードのうち選択されている方のＦＡＸモードを示す音声を出力する音声出力手段と、
前記操作手段が前記２回目の押下により変位した場合に、前記選択されている方のＦＡＸモードによるＦＡＸ通信を実行するＦＡＸ通信実行手段と、
を有することを特徴とする画像形成装置。
【請求項２】
前記音声出力手段は、
ブザー音を、前記選択されている方のＦＡＸモードに応じて設定された回数送出することを特徴とする請求項１記載の画像形成装置。
【請求項３】
前記音声出力手段は、
ブザー音を、前記選択されている方のＦＡＸモードに応じて設定された周波数で送出することを特徴とする請求項１記載の画像形成装置。
【請求項４】
前記ＦＡＸ通信実行手段は、
ＬＡＮ経由で前記第２のＦＡＸモードによるＦＡＸ通信を行うことを特徴とする請求項１から３のいずれか１項に記載の画像形成装置。
【請求項５】
前記ＦＡＸ通信実行手段は、
データモデムを用いて前記第２のＦＡＸモードによるＦＡＸ通信を行うことを特徴とする請求項１から３のいずれか１項に記載の画像形成装置。
【請求項６】
公衆回線網を介してＦＡＸ通信を行う第１のＦＡＸモードと、インターネットを介してＦＡＸ通信を行う第２のＦＡＸモードとのいずれかを選択可能な通信装置の制御方法であって、
前記通信装置は、
ユーザが２段階に押下可能であり、１回目の押下により所定の変位をした後、当該変位した状態で行われる２回目の押下により前記変位よりも大きく変位する操作手段を備えており、
前記操作手段が前記１回目の押下により変位した場合に、前記第１のＦＡＸモードと前記第２のＦＡＸモードのうち選択されている方のＦＡＸモードを示す音声を出力し、
前記操作手段が前記２回目の押下により変位した場合に、前記選択されている方のＦＡＸモードによるＦＡＸ通信を実行することを特徴とする通信装置の制御方法。
【請求項７】
前記通信装置は、
前記音声としてのブザー音を、前記選択されている方のＦＡＸモードに応じて設定された回数送出することを特徴とする請求項６記載の通信装置の制御方法。
【請求項８】
前記通信装置は、
前記音声としてのブザー音を、前記選択されている方のＦＡＸモードに応じて設定された周波数で送出することを特徴とする請求項６記載の通信装置の制御方法。
【請求項９】
前記通信装置は、
ＬＡＮ経由で前記第２のＦＡＸモードによるＦＡＸ通信を行うことを特徴とする請求項６から８のいずれか１項に記載の通信装置の制御方法。
【請求項１０】
前記通信装置は、
データモデムを用いて前記第２のＦＡＸモードによるＦＡＸ通信を行うことを特徴とする請求項６から８のいずれか１項に記載の通信装置の制御方法。
【請求項１１】
公衆回線網を介してＦＡＸ通信を行う第１のＦＡＸモードと、インターネットを介してＦＡＸ通信を行う第２のＦＡＸモードとのいずれかを選択可能なコンピュータに実行させるためのプログラムであって、
前記コンピュータに、
ユーザが２段階に押下可能であり、１回目の押下により所定の変位をした後、当該変位した状態で行われる２回目の押下により前記変位よりも大きく変位する操作手段が、前記１回目の押下により変位した場合に、前記第１のＦＡＸモードと前記第２のＦＡＸモードのうち選択されている方のＦＡＸモードを示す音声を出力する処理と、
前記操作手段が、前記２回目の押下により変位した場合に、前記選択されている方のＦＡＸモードによるＦＡＸ通信を実行する処理と、
を実行させることを特徴とするプログラム。
【請求項１２】
前記コンピュータに、
前記音声としてのブザー音を、前記選択されている方のＦＡＸモードに応じて設定された回数送出する処理を実行させることを特徴とする請求項１１記載のプログラム。
【請求項１３】
前記コンピュータに、
前記音声としてのブザー音を、前記選択されている方のＦＡＸモードに応じて設定された周波数で送出する処理を実行させることを特徴とする請求項１１記載のプログラム。
【請求項１４】
前記コンピュータに、
ＬＡＮ経由で前記第２のＦＡＸモードによるＦＡＸ通信を行う処理を実行させることを特徴とする請求項１１から１３のいずれか１項に記載のプログラム。
【請求項１５】
前記コンピュータに、
データモデムを用いて前記第２のＦＡＸモードによるＦＡＸ通信を行う処理を実行させることを特徴とする請求項１１から１３のいずれか１項に記載のプログラム。
【発明の詳細な説明】
【０００１】
【発明の属する技術分野】
本発明は、キーを押下した際、キー入力の正誤を確認する旨の音声を送出する画像形成装置、通信装置の制御方法、およびプログラムに関する。
【０００２】
【従来の技術】
従来、簡易かつ確実なキー入力を実現するための技術が数多く開示されている。特開平１０−１１２２０号公報が開示するところの１スイッチ入力装置（以下、従来例１）では、呼気によりスイッチのＯＮ／ＯＦＦを制御していた。
【０００３】
【発明が解決しようとする課題】
しかしながら、従来例１では、キー入力を実行する前に、キー入力の正誤を確認する構成を有していないため、誤ってキーを入力し、誤動作を誘発してしまう可能性があった。
【０００４】
本発明は、上記問題点に鑑みてなされたものであり、キーの誤操作を抑制する画像形成装置、通信装置の制御方法、およびプログラムを提供することを目的とする。
【０００５】
【課題を解決するための手段】
かかる目的を達成するため、本発明の第１の態様は、公衆回線網を介してＦＡＸ通信を行う第１のＦＡＸモードと、インターネットを介してＦＡＸ通信を行う第２のＦＡＸモードとのいずれかを選択可能な画像形成装置であって、ユーザが２段階に押下可能であり、１回目の押下により所定の変位をした後、変位した状態で行われる２回目の押下により変位よりも大きく変位する操作手段と、操作手段が１回目の押下により変位した場合に、第１のＦＡＸモードと第２のＦＡＸモードのうち選択されている方のＦＡＸモードを示す音声を出力する音声出力手段と、操作手段が２回目の押下により変位した場合に、選択されている方のＦＡＸモードによるＦＡＸ通信を実行するＦＡＸ通信実行手段と、を有することを特徴とする。
【０００６】
また、本発明の第２の態様は、公衆回線網を介してＦＡＸ通信を行う第１のＦＡＸモードと、インターネットを介してＦＡＸ通信を行う第２のＦＡＸモードとのいずれかを選択可能な通信装置の制御方法であって、通信装置は、ユーザが２段階に押下可能であり、１回目の押下により所定の変位をした後、変位した状態で行われる２回目の押下により変位よりも大きく変位する操作手段を備えており、操作手段が１回目の押下により変位した場合に、第１のＦＡＸモードと第２のＦＡＸモードのうち選択されている方のＦＡＸモードを示す音声を出力し、操作手段が２回目の押下により変位した場合に、選択されている方のＦＡＸモードによるＦＡＸ通信を実行することを特徴とする。
【０００７】
また、本発明の第３の態様は、公衆回線網を介してＦＡＸ通信を行う第１のＦＡＸモードと、インターネットを介してＦＡＸ通信を行う第２のＦＡＸモードとのいずれかを選択可能なコンピュータに実行させるためのプログラムであって、コンピュータに、ユーザが２段階に押下可能であり、１回目の押下により所定の変位をした後、変位した状態で行われる２回目の押下により変位よりも大きく変位する操作手段が、１回目の押下により変位した場合に、第１のＦＡＸモードと第２のＦＡＸモードのうち選択されている方のＦＡＸモードを示す音声を出力する処理と、操作手段が、２回目の押下により変位した場合に、選択されている方のＦＡＸモードによるＦＡＸ通信を実行する処理と、を実行させることを特徴とする。
【００４０】
【発明の実施の形態】
（第１の実施形態）
図１は、本発明の第１の実施形態における画像形成装置の構成を示す図である。以下、図１を用いて、本実施形態における画像形成装置の構成および動作について説明する。
【００４１】
画像形成装置は、ＦＡＸ通信のモードとして、公衆回線網を介して通常のＦＡＸ通信を行う通常ＦＡＸモードと、インターネットＦＡＸ通信を行うインターネットＦＡＸモードと、のうちいずれかをとる。
【００４２】
また、画像形成装置は、制御部１１と、通常ＦＡＸ通信部１２と、モデム１３と、インターネットＦＡＸ通信部１４と、ＬＡＮインタフェース１５と、操作部１６と、音声送出部１７と、音声出力部１８と、を有する。
【００４３】
制御部１１は、画像形成装置における各部位の動作を制御する。また、制御部１１は、通常ＦＡＸ通信部１２、インターネットＦＡＸ通信部１４、操作部１６、および音声送出部１７に接続されている。
【００４４】
通常ＦＡＸ通信部１２は、通常のＦＡＸ通信を行う部位である。また、通常ＦＡＸ通信部１２は、モデム１３を介して公衆回線網に接続されている。モデム１３は、データの変復調を行う。
【００４５】
インターネットＦＡＸ通信部１４は、インターネットＦＡＸ通信を行う部位である。また、インターネットＦＡＸ通信部１４は、ＬＡＮインタフェース１５に接続されている。ＬＡＮインタフェース１５は、画像形成装置をＬＡＮに接続するインタフェースである。インターネットＦＡＸ通信は、ＬＡＮインタフェース１５により接続されたＬＡＮ経由で行われる。
【００４６】
操作部１６は、画像形成装置に対して様々な設定および命令を入力する部位である。また、操作部１６は、ＦＡＸの送信先を入力する宛先入力キー（図示せず）と、ＦＡＸ送信動作を開始するスタートボタン（図示せず）と、通常ＦＡＸモードとインターネットＦＡＸモードとを切り替えるモード切替スイッチ（図示せず）と、を有する。
【００４７】
音声送出部１７は、音声を送出する。音声出力部１８は、接続されている音声送出部１７から送出された音声を外部に出力する部位であり、例えば、スピーカであってもよい。
【００４８】
図２は、本発明の第１の実施形態における動作の流れを示すフローチャートである。以下、図１を用い、図２に沿って、本実施形態における動作について説明する。
【００４９】
原稿を送信する前に、まず、制御部１１は、モード切替スイッチにより、ＦＡＸ通信モードとして、通常ＦＡＸ通信モードとインターネットＦＡＸ通信モードとのうちのどちらが選択されたかを判断する（ステップＳ２０１）。
【００５０】
次に、ユーザは、原稿をセットし、宛先入力キーを用いて、ＦＡＸの宛先を入力する（ステップＳ２０２）。
【００５１】
次に、制御部１１は、スタートボタンが押下されたことを検出すると（ステップＳ２０３）、音声送出部１７に音声を送出させ、送出された音声を音声出力部１８から出力させる（ステップＳ２０４）。
【００５２】
上記の音声出力部１８から出力される音声は、選択されたＦＡＸ通信モードをユーザに通知するためのものである。例えば、モード切替スイッチにより通常ＦＡＸモードが選択されている場合、「ＦＡＸを送信します」というメッセージが音声出力部１８から出力される。また、モード切替スイッチによりインターネットＦＡＸモードが選択されている場合、「メールを送信します」というメッセージが音声出力部１８から出力される。
【００５３】
また、音声出力部１８から出力される音声は、言語を形成するメッセージの他に、ブザー音のようなものであってもよい。出力される音声がブザー音である場合は、ＦＡＸ通信モードごとに、出力されるブザー音の回数を設定してもよい。例えば、通常ＦＡＸ通信モードが選択されている場合は、１回ブザー音が出力され、インターネットＦＡＸ通信モードが選択されている場合は、２回ブザー音が出力されるようにしてもよい。また、出力されるブザー音の周波数あるいは長さの違いによって、選択されているＦＡＸ通信モードをユーザに通知してもよい。
【００５４】
なお、音声送出部１７から送出される音声の情報は、パターン化され、音声送出部１７に格納されているとしてもよい。
【００５５】
ユーザは、音声出力部１８から出力された音声により通知されたＦＡＸ通信モードと、ユーザ自身が希望したＦＡＸ通信モードと、が一致したか否かを判断する（ステップＳ２０５）。一致していないと判断された場合（ステップＳ２０５／Ｎ）、ステップＳ２０１に遷移する。
【００５６】
ユーザは、音声出力部１８により通知されたＦＡＸ通信モードと、ユーザが希望するＦＡＸ通信モードが一致したと判断した場合（ステップＳ２０５／Ｙ）、ユーザは、スタートボタンを再度押下する（ステップＳ２０６）。
【００５７】
制御部１１は、スタートボタンが再度押下されたことを検出すると、選択されたＦＡＸ通信モードおよび入力されたＦＡＸ送信先に応じて、通常ＦＡＸ通信部１２あるいはインターネットＦＡＸ通信部１４のうちいずれかに、ＦＡＸ送信動作を開始させる（ステップＳ２０７）。ＦＡＸ送信動作終了後、画像形成装置は、動作を終了する。
【００５８】
以上説明したように、本実施形態によれば、スタートボタンを押したときに選択したモードによって異なるメッセージが出力される。そこでもう一度スタートボタンを押すと、制御部１１がスタートボタンが押されたと認識し、選択したモードの送信動作を開始するので、ユーザが意図しない送信モードでＦＡＸ送信してしまうことを防止することが可能となる。
【００５９】
（第２の実施形態）
本発明の第２の実施形態における構成および動作は、以下、特記しない限り、第１の実施形態と同様であるとして、本実施形態における構成および動作を図１を用いて説明する。
【００６０】
第１の実施形態では、１回目のスタートボタン押下後に、現在選択されているＦＡＸ通信モードが通知され、２回目のスタートボタン押下後に、ＦＡＸ送信動作が開始していた。本実施形態におけるスタートボタンは、２段階に押下可能となっている。本実施形態では、スタートボタンが１段階目まで押下されると、音声出力部１８からＦＡＸ通信モードを通知する音声が出力される。ユーザは、１段階目まで変位したスタートボタンを押下し、１段階目よりもさらに大きくスタートボタンを変位させると、画像形成装置は、ＦＡＸ送信動作を開始する。また、ユーザが２段階連続してスタートボタンを押下した場合は、音声出力部１８から音声は出力されない。
【００６１】
図３は、本発明の第２の実施形態における動作の流れを示すフローチャートである。以下、本実施形態における動作を、図１を用い、図３に沿って説明する。
【００６２】
まず、制御部１１は、モード切替スイッチにより、ＦＡＸ通信モードとして、通常ＦＡＸ通信モードとインターネットＦＡＸ通信モードとのうちのどちらが選択されたかを判断する（ステップＳ３０１）。
【００６３】
次に、ユーザは、原稿をセットし、宛先入力キーを用いて、ＦＡＸの宛先を入力する（ステップＳ３０２）。
【００６４】
次に、制御部１１は、スタートボタンが１段階目まで押下されたことを検出すると（ステップＳ３０３）、音声送出部１７に音声を送出させ、送出された音声を音声出力部１８から出力させる（ステップＳ３０４）。
【００６５】
ユーザは、音声出力部１８から出力された音声により通知されたＦＡＸ通信モードと、ユーザ自身が希望したＦＡＸ通信モードと、が一致したか否かを判断する（ステップＳ３０５）。一致していないと判断された場合（ステップＳ３０５／Ｎ）、ステップＳ３０１に遷移する。
【００６６】
ユーザは、音声出力部１８により通知されたＦＡＸ通信モードと、ユーザが希望するＦＡＸ通信モードが一致したと判断した場合（ステップＳ３０５／Ｙ）、制御部１１は、１段階目まで押下されたスタートボタンがさらに２段階目まで押下されたか否かを判断する（ステップＳ３０６）。２段階目までスタートボタンが押下されなかったと判断された場合（ステップＳ３０６／Ｎ）、ステップＳ３０１に遷移する。
【００６７】
制御部１１は、スタートボタンが２段階目まで押下されたと判断した場合（ステップＳ３０６／Ｙ）、選択されたＦＡＸ通信モードおよび入力されたＦＡＸ送信先に応じて、通常ＦＡＸ通信部１２あるいはインターネットＦＡＸ通信部１４のうちいずれかに、ＦＡＸ送信動作を開始させる（ステップＳ３０７）。ＦＡＸ送信動作終了後、画像形成装置は、動作を終了する。
【００６８】
なお、本実施形態におけるスタートボタンは、２段階に変位可能としたが、複数段階であれば、任意の段階に変位可能としてよい。
【００６９】
以上説明したように、本実施形態によれば、２段階で押下するスタートボタンを１段階目まで押したときに選択したモードによって異なるメッセージが出力される。そこでそのままスタートボタンを最後まで押すと、制御部１１は、スタートボタンが押されたこと認識し、選択したモードの送信動作を開始するので、ユーザが意図しない送信モードでＦＡＸ送信してしまうことを防止することが可能となる。
【００７０】
（第３の実施形態）
図４は、本発明の第３の実施形態における画像形成装置の構成を示す図である。以下、図４を用いて、本実施形態における画像形成装置の構成および動作について説明する。
【００７１】
また、画像形成装置は、制御部１１と、通常ＦＡＸ通信部１２と、モデム１３と、インターネットＦＡＸ通信部１４と、操作部１６と、音声送出部１７と、音声出力部１８と、データモデム１９と、を有する。
【００７２】
制御部１１は、画像形成装置における各部位の動作を制御する。また、制御部１１は、通常ＦＡＸ通信部１２、インターネットＦＡＸ通信部１４、操作部１６、および音声送出部１７に接続されている。
【００７３】
通常ＦＡＸ通信部１２は、通常のＦＡＸ通信を行う部位である。また、通常ＦＡＸ通信部１２は、モデム１３を介して公衆回線網に接続されている。モデム１３は、データの変復調を行う。
【００７４】
インターネットＦＡＸ通信部１４は、インターネットＦＡＸ通信を行う部位である。また、インターネットＦＡＸ通信部１４は、データモデム１９に接続されている。データモデム１９は、インターネット、イントラネット、あるいは専用線に接続されており、データの分解・組立、および変復調を行う。
【００７５】
操作部１６は、画像形成装置に対して様々な設定および命令を入力する部位である。また、操作部１６は、ＦＡＸの送信先を入力する宛先入力キー（図示せず）と、ＦＡＸ送信動作を開始するスタートボタン（図示せず）と、通常ＦＡＸモードとインターネットＦＡＸモードとを切り替えるモード切替スイッチ（図示せず）と、を有する。
【００７６】
音声送出部１７は、音声を送出する。音声出力部１８は、接続されている音声送出部１７から送出された音声を外部に出力する部位であり、例えば、スピーカであってもよい。
【００７７】
本実施形態では、第１の実施形態と同様に、１回目のスタートボタン押下で現在選択されているＦＡＸ通信モードが通知され、２回目のスタートボタン押下でＦＡＸ送信動作が開始される。その場合、本実施形態における動作は、図２に示されるフローチャートに沿った第１の実施形態における動作と同様である。
【００７８】
以上説明したように、本実施形態によれば、スタートボタンを押したときに選択したモードによって異なるメッセージが出力される。そこでもう一度スタートボタンを押すと、制御部１１は、スタートボタンが押されたこと認識し、選択したモードの送信動作を開始するので、ユーザが意図しない送信モードでＦＡＸ送信してしまうことを防止することが可能となる。
【００７９】
（第４の実施形態）
本発明の第４の実施形態における構成および動作は、以下、特記しない限り、第３の実施形態と同様であるとする。
【００８０】
第３の実施形態におけるスタートボタンは、１回目のスタートボタン押下で現在選択されているＦＡＸ通信モードが通知され、２回目のスタートボタン押下でＦＡＸ送信動作が開始されていた。本実施形態では、第２の実施形態と同様に、スタートボタンが１段階目まで押下されると現在選択されているＦＡＸ通信モードが通知され、１段階目まで押下されたスタートボタンが２段階目まで押下されるとＦＡＸ送信動作が開始される。その場合、本実施形態における動作は、図３に示されるフローチャートに沿った第２の実施形態における動作と同様である。
【００８１】
以上説明したように、本実施形態によれば、２段階で押下するスタートボタンを１段階目まで押したときに選択したモードによって異なるメッセージが出力される。そこでそのままスタートボタンを最後まで押すと、制御部１１は、スタートボタンが押されたと認識し、選択したモードの送信動作を開始するので、ユーザが意図しない送信モードでＦＡＸ送信してしまうことを防止することが可能となる。
【００８２】
（第５の実施形態）
図５は、本発明の第５の実施形態における音声出力装置の構成を示す図である。以下、図５を用いて、本実施形態における音声出力装置の構成および動作について説明する。
【００８３】
音声出力装置は、複数種類の動作モードをとるものとする。また、音声出力装置は、制御部２１と、操作部２２と、音声送出部２３と、音声合成部２４と、音声出力部２５と、を有する。
【００８４】
制御部２１は、音声出力装置における各部位の動作を制御する。また、制御部２１は、操作部２２、音声送出部２３、および音声合成部２４と接続されている。
【００８５】
操作部２２は、音声出力装置に対して様々な設定および命令を入力する部位である。また、操作部２２は、動作モードを切り替えるモード切替スイッチ（図示せず）と、数字あるいは文字等を入力する入力キー（図示せず）と、入力内容がユーザにより任意に設定可能な設定キー（図示せず）と、を有する。設定キーの一例としては、ファクシミリ装置におけるワンタッチ宛先キーがあげられる。ワンタッチ宛先キーは、押下するだけで、予めユーザが設定したＦＡＸの宛先にＦＡＸ送信がされる機能を有するキーである。
【００８６】
音声送出部２３には、複数種類の音声パターン（音声メッセージあるいはブザー音等）の情報が格納されている。音声送出部２３は、操作部２２における情報入力に応じて、入力された情報内容を示す音声を送出する。音声合成部２４は、音声を合成し、合成した音声を送出する。音声出力部２５は、接続されている音声送出部２３および音声合成部２４により送出された音声を外部に出力する部位であり、例えば、スピーカであってもよい。
【００８７】
制御部２１は、入力キーが押下されたことを検出すると、押下された入力キーに対応する数字あるいは文字等に対応した音声（プログラムされた固定メッセージ）を、音声送出部２３に送出させ、ユーザに押下されたキーの入力内容を通知する。
【００８８】
また、制御部２１は、モード切替スイッチにより選択されたことを検出すると、選択された動作モードに対応する音声（プログラムされた固定メッセージ）を、音声送出部２３に送出させ、選択された動作モードをユーザに通知する。
【００８９】
設定キーにおける入力内容は、ユーザにより任意に設定されるため、固定されていない。音声送出部２３に格納されている固定メッセージにより入力内容を通知することが困難である設定キーが押下されると、制御部２１は、設定キーに対応する音声を、音声合成部２４に合成および送出させ、設定キーによる入力内容をユーザに通知する。
【００９０】
また、制御部２１は、入力内容を通知する音声の送出中および送出後に、押下されたキー（スイッチ）が再度押下されたことを検出すると、押下されたキーによる入力を認識する。
【００９１】
図６は、本発明の第５の実施形態における動作の流れを示すフローチャートである。以下、図５を用い、図６に沿って、本実施形態における動作について説明する。
【００９２】
まず、制御部２１は、操作部２２におけるキーが押下されたことを検出すると（ステップＳ６０１）、押下されたキーの内容に対応した音声メッセージを音声送出部２３あるいは音声合成部２４に送出させ、送出された音声を音声出力部２５から出力させる（ステップＳ６０２）。
【００９３】
ユーザは、音声出力部２５から出力された音声により通知されたメッセージ内容のキーと、ユーザが入力を希望するキーと、が一致したか否かを判断する（ステップＳ６０３）。一致していないと判断された場合（ステップＳ６０３／Ｎ）、ステップＳ６０１に遷移する。
【００９４】
ユーザは、音声出力部２５により通知されたメッセージ内容のキーと、ユーザが入力を希望するキーと、が一致したと判断した場合（ステップＳ６０３／Ｙ）、ユーザは、ステップＳ６０１において押下したキーを再度押下する（ステップＳ６０４）。
【００９５】
制御部２１は、キーが再度押下されたことを認識し（ステップＳ６０５）、音声出力装置は、動作を終了する。
【００９６】
以上説明したように、本実施形態によれば、操作部２２のキーを１回押すとそのキーに対応するメッセージが送出される。メッセージ送出後、または送出中に同じキーをもう一度押下するとキー入力が制御部２１に認識されるので、キーを目で認識することが困難である場合においても、間違わずにキーを使うことが可能となる。
【００９７】
（第６の実施形態）
本発明の第６の実施形態における構成および動作は、以下、特記しない限り、第５の実施形態と同様であるとして、本実施形態における構成および動作を図５を用いて説明する。
【００９８】
第５の実施形態では、１回目のキー押下で押下されたキーの内容を示す音声により、押下されたキーの内容がユーザに通知され、２回目のキー押下で押下されたキーの入力動作が行われていた。本実施形態における操作部２２が有するキーは、２段階に押下可能である。キーが１段階目まで押下されると、押下されたキー内容を示す音声により押下されたキー内容がユーザに通知され、１段階目まで押下されたキーが２段階目まで押下されると、押下されたキーの入力動作が行われる。
【００９９】
図７は、本発明の第６の実施形態における動作の流れを示すフローチャートである。以下、図５を用い、図７に沿って、本実施形態における動作について説明する。
【０１００】
まず、制御部２１は、操作部２２におけるキーが１段階目まで押下されたことを検出すると（ステップＳ７０１）、押下されたキーの内容に対応した音声メッセージを音声送出部２３あるいは音声合成部２４に送出させ、送出された音声を音声出力部２５から出力させる（ステップＳ７０２）。
【０１０１】
ユーザは、音声出力部２５から出力された音声により通知されたメッセージ内容のキーと、ユーザが入力を希望するキーと、が一致したか否かを判断する（ステップＳ７０３）。一致していないと判断された場合（ステップＳ７０３／Ｎ）、ステップＳ７０１に遷移する。
【０１０２】
ユーザは、音声出力部２５により通知されたメッセージ内容のキーと、ユーザが入力を希望するキーと、が一致したと判断した場合（ステップＳ７０３／Ｙ）、ユーザは、１段階目まで押下したキーを２段階目まで押下するか否かを決定する（ステップＳ７０４）。２段階目までキーが押下されてなかった場合（ステップＳ７０４／Ｎ）、ステップＳ７０１に遷移する。
【０１０３】
２段階目までキーが押下された場合（ステップＳ７０４／Ｙ）、制御部２１は、押下されたキーの入力を認識し（ステップＳ７０５）、音声出力装置は、動作を終了する。
【０１０４】
なお、本実施形態の操作部２２におけるキーは、２段階に変位可能としたが、複数段階であれば、任意の段階に変位可能としてよい。
【０１０５】
以上説明したように、本実施形態によれば、２段階で入力が出来る操作部２２のキーを１段階目まで押下するとメッセージが送出される。手をそのままにした状態で、メッセージ送出後、または送出中にキーを最後まで押下するとキー入力が装置に認識されるので、キーを目で認識することが困難である場合においても、間違わずに操作キーを使うことが可能となる。
【０１０６】
（第７の実施形態）
図８は、本発明の第７の実施形態における音声出力装置の構成を示す図である。以下、図８を用いて、本実施形態における音声出力装置の構成および動作について説明する。
【０１０７】
音声出力装置は、複数種類の動作モードをとるものとする。また、音声出力装置は、制御部２１と、操作部２２と、音声送出部２３と、音声合成部２４と、音声出力部２５と、アック音発生部２６と、を有する。
【０１０８】
制御部２１は、音声出力装置における各部位の動作を制御する。また、制御部２１は、操作部２２、音声送出部２３、音声合成部２４、およびアック音発生部２６に接続されている。
【０１０９】
操作部２２は、音声出力装置に対して様々な設定および命令を入力する部位である。また、操作部２２は、動作モードを切り替えるモード切替スイッチ（図示せず）と、数字あるいは文字等を入力する入力キー（図示せず）と、入力内容がユーザにより任意に設定可能な設定キー（図示せず）と、を有する。設定キーの一例としては、ファクシミリ装置におけるワンタッチ宛先キーがあげられる。ワンタッチ宛先キーは、押下するだけで、予めユーザが設定したＦＡＸの宛先にＦＡＸ送信がされる機能を有するキーである。
【０１１０】
音声送出部２３には、複数種類の音声パターン（音声メッセージあるいはブザー音等）の情報が格納されている。音声送出部２３は、操作部２２における情報入力に応じて、入力された情報内容を示す音声を送出する。音声合成部２４は、音声を合成し、合成した音声を送出する。また、アック音発生部２６は、操作部２２による入力に対する肯定応答を示す音声であるアック音を発生する部位である。なお、アック音は、ブザー音であってもよい。音声出力部２５は、接続されている音声送出部２３および音声合成部２４により送出された音声と、接続されているアック音発生部２６により発生したアック音を外部に出力する部位であり、例えば、スピーカであってもよい。
【０１１１】
制御部２１は、入力キーが押下されたことを検出すると、押下された入力キーに対応する数字あるいは文字等に対応した音声（プログラムされた固定メッセージ）を、音声送出部２３に送出させ、ユーザに押下されたキーの入力内容を通知する。
【０１１２】
また、制御部２１は、モード切替スイッチにより選択されたことを検出すると、選択された動作モードに対応する音声（プログラムされた固定メッセージ）を、音声送出部２３に送出させ、選択された動作モードをユーザに通知する。
【０１１３】
設定キーにおける入力内容は、ユーザにより任意に設定されるため、固定されていない。音声送出部２３に格納されている固定メッセージにより入力内容を通知することが困難である設定キーが押下されると、制御部２１は、設定キーに対応する音声を、音声合成部２４に合成および送出させ、設定キーによる入力内容をユーザに通知する。
【０１１４】
また、制御部２１は、入力内容を通知する音声の送出中および送出後に、押下されたキー（スイッチ）が再度押下されたことを検出すると、押下されたキーによる入力を認識する。制御部２１は、キー入力を認識すると、キー入力を認識した旨を示すアック音をアック音発生部２６に発生させ、発生したアック音を音声出力部２５に出力させる。
【０１１５】
図９は、本発明の第７の実施形態における動作の流れを示すフローチャートである。以下、図８を用い、図９に沿って、本実施形態における動作について説明する。
【０１１６】
まず、制御部２１は、操作部２２におけるキーが押下されたことを検出すると（ステップＳ９０１）、押下されたキーの内容に対応した音声メッセージを音声送出部２３あるいは音声合成部２４に送出させ、送出された音声を音声出力部２５から出力させる（ステップＳ９０２）。
【０１１７】
ユーザは、音声出力部２５から出力された音声により通知されたメッセージ内容のキーと、ユーザが入力を希望するキーと、が一致したか否かを判断する（ステップＳ９０３）。一致していないと判断された場合（ステップＳ９０３／Ｎ）、ステップＳ９０１に遷移する。
【０１１８】
ユーザは、音声出力部２５により通知されたメッセージ内容のキーと、ユーザが入力を希望するキーと、が一致したと判断した場合（ステップＳ９０３／Ｙ）、ユーザは、ステップＳ９０１において押下したキーを再度押下する（ステップＳ９０４）。
【０１１９】
制御部２１は、キーが再度押下されたことを認識すると（ステップＳ９０５）、キー入力を認識した旨を示すアック音をアック音発生部２６に発生させ、発生したアック音を音声出力部２５に出力させる（ステップＳ９０６）。音声出力装置は、アック音を出力することによって、ユーザにキー入力が認識された旨を通知する。アック音出力後、音声出力装置は、動作を終了する。
【０１２０】
以上説明したように、本実施形態によれば、操作部２２のキーを１回押すとそのキーに対応するメッセージが送出される。メッセージ送出後、または送出中に同じキーをもう一度押下するとキー入力が制御部２１に認識されるとともに、アック音が出るので、キーを目で認識することが困難である場合においても、確実なキー操作が可能となる。
【０１２１】
（第８の実施形態）
本発明の第８の実施形態における構成および動作は、以下、特記しない限り、第７の実施形態と同様であるとして、本実施形態における構成および動作を図８を用いて説明する。
【０１２２】
第７の実施形態では、１回目のキー押下で押下されたキーの内容を示す音声により、押下されたキーの内容がユーザに通知され、２回目のキー押下で押下されたキーの入力動作が行われていた。本実施形態における操作部２２が有するキーは、２段階に押下可能である。キーが１段階目まで押下されると、押下されたキー内容を示す音声により押下されたキー内容がユーザに通知され、１段階目まで押下されたキーが２段階目まで押下されると、押下されたキーの入力動作が行われる。
【０１２３】
図１０は、本発明の第８の実施形態における動作の流れを示すフローチャートである。以下、図８を用い、図１０に沿って、本実施形態における動作について説明する。
【０１２４】
まず、制御部２１は、操作部２２におけるキーが１段階目まで押下されたことを検出すると（ステップＳ１００１）、押下されたキーの内容に対応した音声メッセージを音声送出部２３あるいは音声合成部２４に送出させ、送出された音声を音声出力部２５から出力させる（ステップＳ１００２）。
【０１２５】
ユーザは、音声出力部２５から出力された音声により通知されたメッセージ内容のキーと、ユーザが入力を希望するキーと、が一致したか否かを判断する（ステップＳ１００３）。一致していないと判断された場合（ステップＳ１００３／Ｎ）、ステップＳ１００１に遷移する。
【０１２６】
ユーザは、音声出力部２５により通知されたメッセージ内容のキーと、ユーザが入力を希望するキーと、が一致したと判断した場合（ステップＳ１００３／Ｙ）、ユーザは、１段階目まで押下したキーを２段階目まで押下するか否かを決定する（ステップＳ１００４）。２段階目までキーが押下されなかった場合（ステップＳ１００４／Ｎ）、ステップＳ１００１に遷移する。
【０１２７】
２段階目までキーが押下された場合（ステップＳ１００４／Ｙ）、制御部２１は、押下されたキーの入力を認識する（ステップＳ１００５）。
【０１２８】
制御部２１は、押下されたキーの入力を認識すると、キー入力を認識した旨を示すアック音をアック音発生部２６に発生させ、発生したアック音を音声出力部２５に出力させる（ステップＳ１００６）。音声出力装置は、アック音を出力することによって、ユーザにキー入力が認識された旨を通知する。アック音出力後、音声出力装置は、動作を終了する。
【０１２９】
なお、本実施形態の操作部２２におけるキーは、２段階に変位可能としたが、複数段階であれば、任意の段階に変位可能としてよい。
【０１３０】
以上説明したように、本実施形態によれば、２段階で入力が可能な操作部２２のキーを１段階目まで押下するとメッセージが送出される。手をそのままにした状態で、メッセージ送出後、または送出中に操作キーを最後まで押下するとキー入力が制御部２１に認識されるとともに、アック音が出るので、確実なキー操作が可能となる。
【０１３１】
また、画像形成装置は、公衆回線網経由でＦＡＸ通信を行う処理と、インターネットＦＡＸ通信を行う処理と、公衆回線網経由で行うＦＡＸ通信とインターネットＦＡＸ通信とのうちのいずれかを行うことを選択する処理と、ＦＡＸ通信が選択されたことを示す音声を送出する処理と、選択されたＦＡＸ通信を実行する処理と、を行う。
【０１３２】
また、音声出力装置は、所定の情報を入力する処理と、所定の情報が入力されたことを示す音声を送出する処理と、所定の情報が入力されたことを示す音声を合成し、合成した音声を送出する処理と、入力された情報を認識する処理と、入力された情報が認識されたことを示すアック音を発生させる処理と、を行う。
【０１３３】
上記の処理は、画像形成装置および音声出力装置が有するコンピュータプログラムにより実行されるが、上記のプログラムは、光ディスクあるいは磁気ディスク等の記録媒体に記録され、上記の記録媒体からロードされるようにしてもよいし、所定のネットワークを介して接続されている外部機器からロードされるようにしてもよい。
【０１３４】
なお、上記の実施形態は本発明の好適な実施の一例であり、本発明の実施形態は、これに限定されるものではなく、本発明の要旨を逸脱しない範囲において種々変形して実施することが可能となる。
【０１３５】
【発明の効果】
以上説明したように、本発明によれば、所定のキーを選択すると、現在選択されているＦＡＸ通信モードを音声で通知し、再度上記のキーを選択すると、通知されたＦＡＸ通信モードでＦＡＸ送信を行うことによって、ユーザが意図しないＦＡＸ通信モードでＦＡＸ送信が行われることを防止することが可能となる。
【０１３６】
また、２段階に変位可能なキーを１段階目まで押下すると、現在選択されているＦＡＸ通信モードを音声で通知し、１段階目まで押下されたキーをそのまま２段階目まで押下すると、通知されたＦＡＸ通信モードでＦＡＸ送信を行うことによって、ユーザが意図しないＦＡＸ通信モードでＦＡＸ送信が行われることを防止することが可能となる。
【０１３７】
また、所定のキーにより情報を入力すると、入力された情報の内容を音声で通知し、再度上記のキーにより入力すると、通知された内容の情報の入力を認識することによって、ユーザが意図しないキー入力を防止することが可能となる。
【０１３８】
また、２段階に変位可能なキーを１段階目まで押下すると、上記のキーにより入力される情報の内容を音声で通知し、１段階目まで押下されたキーをそのまま２段階目まで押下すると、通知された内容の情報の入力を認識することによって、ユーザが意図しないキー入力を防止することが可能となる。
【０１３９】
また、情報入力を認識した際、情報入力を認識したことを示すアック音を発生させることによって、キー入力が行われたことをユーザに通知することが可能となる。
【図面の簡単な説明】
【図１】本発明の第１の実施形態における画像形成装置の構成を示す図である。
【図２】本発明の第１の実施形態における動作の流れを示すフローチャートである。
【図３】本発明の第２の実施形態における動作の流れを示すフローチャートである。
【図４】本発明の第３の実施形態における画像形成装置の構成を示す図である。
【図５】本発明の第５の実施形態における画像形成装置の構成を示す図である。
【図６】本発明の第５の実施形態における動作の流れを示すフローチャートである。
【図７】本発明の第６の実施形態における動作の流れを示すフローチャートである。
【図８】本発明の第７の実施形態における画像形成装置の構成を示す図である。
【図９】本発明の第７の実施形態における動作の流れを示すフローチャートである。
【図１０】本発明の第８の実施形態における動作の流れを示すフローチャートである。
【符号の説明】
１１、２１  制御部
１２  通常ＦＡＸ通信部
１３  モデム
１４  インターネットＦＡＸ通信部
１５  ＬＡＮインタフェース
１６、２２  操作部
１７、２３  音声送出部
１８、２５  音声出力部
１９  データモデム
２４  音声合成部
２６  アック音発生部
【図１】
0004646283.tif 000002
【図２】
0004646283.tif 000003
【図３】
0004646283.tif 000004
【図４】
0004646283.tif 000005
【図５】
0004646283.tif 000006
【図６】
0004646283.tif 000007
【図７】
0004646283.tif 000008
【図８】
0004646283.tif 000009
【図９】
0004646283.tif 000010
【図１０】
0004646283.tif 000011